(57)【特許請求の範囲】
【請求項１】
外部装置との間で無線通信を行って電子データの送信を行う無線通信部と、
加速度により移動を検出する移動検出部と、
前記無線通信の品質を検出する通信品質検出部と、
前記無線通信における前記電子データの送信を制御する制御部を備え、
前記制御部は、
前記移動検出部が移動を検出した場合には、警告を行って前記電子データの送信を中断する第１の制御モードと、
前記移動検出部が移動を検出した場合であっても、前記通信品質検出部により検出された前記無線通信が検出した品質が所定の品質以上である場合には、前記第１の制御モードにおける前記警告は行わず、かつ前記電子データの送信を継続する第２の制御モードと、
有することを特徴とする無線通信装置。
【請求項２】
前記制御部は、前記移動検出部が移動を検出した場合であっても、前記第１の制御モードにおける前記警告は行わず、かつ前記無線通信の送信電力を一時的に増大させて前記電子データの送信を継続させる第３の制御モードを有することを特徴とする請求項１に記載の無線通信装置。
【請求項３】
第１の制御モードは、前記中断の後、前記移動検出部が所定の時間にわたって移動を検出しない場合には、前記電子データの送信を再開することを特徴とする請求項１または請求項２に記載の無線通信装置。
【発明の詳細な説明】
【技術分野】
【０００１】
本発明は無線通信装置に関し、特に意図しない通信障害による通信の切断を予防することの可能な無線通信装置に関する。
【背景技術】
【０００２】
パーソナルコンピュータ（ＰＣ）及びその周辺装置の小型化、軽量化が進み、ノートＰＣ等を手軽に持ち運びできるようになった。その一方で、ＰＣ等は精密機械であることから、持ち運びによる破損の危険性も高く、破損防止のための機能も同時に研究されてきた。
【０００３】
例えば、ハードディスクドライブ（ＨＤＤ）等はわずかな衝撃によってもヘッド部分を破損しやすいため、ＨＤＤ装置を保護するための発明もされている（例えば、特許文献１参照）。
【０００４】
また、デスクトップＰＣにおいては、様々な周辺機器との間を有線ケーブルによって接続しても何ら問題はなかったが、ノートＰＣを持ち運ぼうとした場合、当然に有線ケーブルを接続したままにすることはできず、それに伴い、ケーブル接続を要しない無線ＬＡＮやワイヤレスＵＳＢ等の無線通信の技術も進歩した。
【特許文献１】特開２０００−２６８４７９号公報
【発明の開示】
【発明が解決しようとする課題】
【０００５】
ＰＣ等のホスト装置が、例えばＨＤＤ等の外部記憶装置とＵＳＢ等の有線ケーブルにより接続されていたとき、外部装置に対する書込み動作中にケーブルを抜いてしまうと、外部記憶装置中のファイルシステムが破壊される可能性がある。このようなトラブルに関しては、ケーブルを抜かないように事前に警告することが可能であり、また近年のＰＣの普及に伴い、多くのユーザが認識している禁忌動作である。
【０００６】
一方、ワイヤレスＵＳＢ等の無線通信による接続では、ユーザが意図しないタイミングで無線通信が切断し、実質的には有線ケーブルを向いた状態と同様の現象が発生する可能性がある。しかし、無線通信においては、切断の可能性を事前にユーザが認識しそれを回避することは困難であり、また切断したこと自体をユーザがすぐに認識できない場合もある。
【０００７】
特に、可搬性に優れるモバイル機器においては、各装置の空間的位置が時間と共に変化する可能性が高い。そのため、その度に各装置間の無線通信の品質が変化するため、上述のような危険に常に曝されることになる。
【０００８】
従って、本発明の目的は、意図しない通信障害による無線通信の切断を予防することの可能な無線通信装置を提供することにある。
【課題を解決するための手段】
【０００９】
本発明は、上記目的を達成するため、外部装置との間で無線通信を行って電子データの送信を行う無線通信部と、加速度により移動を検出する移動検出部と、前記無線通信の品質を検出する通信品質検出部と、前記無線通信における前記電子データの送信を制御する制御部を備え、前記制御部は、前記移動検出部が移動を検出した場合には、警告を行って前記電子データの送信を中断する第１の制御モードと、前記移動検出部が移動を検出した場合であっても、前記通信品質検出部により検出された前記無線通信が検出した品質が所定の品質以上である場合には、前記第１の制御モードにおける前記警告は行わず、かつ前記電子データの送信を継続する第２の制御モードと、有することを特徴とする無線通信装置を提供する。
【００１０】
また、本発明は、上記の目的を達成するため、前記制御部は、前記移動検出部が移動を検出した場合であっても、前記第１の制御モードにおける前記警告は行わず、かつ前記無線通信の送信電力を一時的に増大させて前記電子データの送信を継続させる第３の制御モードを有することを特徴とする請求項１に記載の無線通信装置を提供する。
【００１１】
また、本発明は、上記の目的を達成するため、第１の制御モードは、前記中断の後、前記移動検出部が所定の時間にわたって移動を検出しない場合には、前記電子データの送信を再開することを特徴とする請求項１または請求項２に記載の無線通信装置を提供する。
【発明の効果】
【００１９】
本発明によれば、意図しない通信障害による無線通信の切断を予防することの可能な無線通信装置を提供することができる。
【発明を実施するための最良の形態】
【００２０】
以下、図面を参照しながら本発明の実施の形態について説明する。
【００２１】
（システムの構成）
図１は、本発明に係る無線通信システムの構成を示す概略図である。無線通信システムは、無線通信装置１及びデータ格納装置２より構成され、それらは無線通信によりデータ等の送受信が可能となる。
【００２２】
図１に示す無線通信装置１は、例えば、ノートＰＣであり、データ格納装置２は、例えば、モバイルハードディスクドライブ（モバイルＨＤＤ）であるが、本発明はこれらに限られるものではない。また、無線通信システムも、無線通信装置１及びデータ格納装置２からなるものに限られず、２以上の無線通信が可能な装置からなるシステムであれば、いかなるものでも構わない。
【００２３】
無線通信の方法としては、例えば、ＵＷＢ（Ｕｌｔｒａ  Ｗｉｄｅ  Ｂａｎｄ）が使用される。しかし、本発明に使用される無線通信はＵＷＢに限られるものではなく、ワイヤレスＵＳＢや無線ＬＡＮ、Ｂｌｕｅｔｏｏｔｈ（登録商標）等、いかなる無線通信の方法でも構わない。
【００２４】
ノートＰＣからなる無線通信装置１を用いて情報処理を行う際に、処理対象となるデータが無線通信装置１ではなく、外部端末であるモバイルＨＤＤからなるデータ格納装置２に格納されていたとする。このとき、両端末は有線接続されていなくても、互いに例えばＵＷＢ通信により無線接続が行われているのであれば、無線通信装置１は無線通信を介して、データ格納装置２より必要なデータを取得することができる。
【００２５】
（無線通信装置及びデータ格納装置の内部構成）
図２は、本発明に係る無線通信システムを構成する無線通信装置１及びデータ格納装置２の構成を示すブロック図である。
【００２６】
図２（ａ）において、無線通信装置１は、制御部１１と、表示部１２と、入力部１３と、データ格納部１４と、加速度センサ部１５と、通信品質検出部１６と、無線通信部１７とアンテナ１８とからなる。
【００２７】
制御部１１は、無線通信装置１の制御を司るものであり、具体的にはＣＰＵ（中央演算装置）等が用いられる。
【００２８】
表示部１２は、無線通信等により取得した情報の表示や、後述する無線通信の切断可能性の警告表示などを行うものであり、具体的には、ノートＰＣのモニタ部などに該当する。
【００２９】
入力部１３は、無線通信装置１に対してユーザが各種の指示を行うためのものであり、具体的には、ノートＰＣのキーボードやタッチパッドなどに該当する。
【００３０】
データ格納部１４は、無線通信装置１を駆動させるために制御部１１において実行されるプログラムデータ、無線通信装置１を駆動させる際に制御部１１が必要とするパラメータ、無線通信を介して受信した各種データ等を格納するものである。具体的には、ＲＯＭ、ＲＡＭ、ＨＤＤ等から成る。上記プログラムデータ等消去不可のデータはＲＯＭに、書込みや消去は可能であるが保存を要する各種データはＨＤＤに、一時的にしか使用されないパラメータ等はＲＡＭに、それぞれ格納される。
【００３１】
加速度センサ部１５は、無線通信装置１の移動に伴う物理量を検出するものであり、移動方向とその際の加速度を検出する。
【００３２】
通信品質検出部１６は、後述する無線通信部１７における無線通信の品質を管理し、通信品質の劣化の有無を検出する。通信品質の劣化の有無の検出は、例えば無線通信における電波強度や伝送レートに基づいて行われる。電波強度が強い或いは伝送レートが大きい場合には、通信品質が良好であり、電波強度が弱い或いは伝送レートが小さい場合には、通信品質が劣化していると検出される。特にＵＷＢ通信では、このような通信品質はリンククオリティ（Ｌｉｎｋ  Ｑｕａｌｉｔｙ）と呼ばれる。
【００３３】
無線通信部１７は、後述のアンテナ１８を介して、データ格納装置２等の外部端末との間におけるデータの送受信を行うものである。具体的には、ＵＷＢ通信モジュールなどに該当する。
【００３４】
アンテナ１８は、データ格納装置２等の外部端末からの無線信号を受信し、また、データ格納装置２等の外部端末等に向けて、無線信号を送信するものである。
【００３５】
また、図２（ｂ）において、データ格納装置２は、データ制御部２１と、警告部２２と、データ格納部２３と、加速度センサ部２４と、通信品質検出部２５と、無線通信部２６と、アンテナ２７とからなる。
【００３６】
データ制御部２１は、データ格納装置１の制御を司るものであり、上述の制御部１１同様にＣＰＵ（中央演算装置）等が用いられる。
【００３７】
警告部２２は、無線通信の切断可能性の警告を行うものであり、具体的には、警告灯の点滅や、スピーカ等からの警告音の発生によりユーザに対して無線通信の切断可能性を警告する。
【００３８】
データ格納部２３、加速度センサ部２４、及び通信品質検出部２５は、それぞれ上述した無線通信装置１のデータ格納部１４、加速度センサ部１５、及び通信品質検出部１６と同様のものである。
【００３９】
無線通信部２６及びアンテナ２７もまた、上述の無線通信部１７及びアンテナ１８と同様の目的を有する。
【００４０】
例えば、無線通信装置１に格納されているデータをデータ格納装置２へ転送しようとした場合、ユーザが入力部１３より指示を入力すると、制御部１１は該当するデータをデータ格納部１４より読出し、無線通信部１７を介して、データ格納装置２へ送信する。
【００４１】
一方の、データ格納装置２は、無線通信部２６において当該データを受信すると、データ制御部２１が、データ格納部２３に当該データを格納する。
【００４２】
逆に、データ格納装置２に格納されているデータを無線通信装置１へ転送しようとした場合には、データ制御部２１は転送するデータをデータ格納部２４から読出し、無線通信部２６を介して、無線通信装置１へ送信する。
【００４３】
また、無線通信時に無線通信装置１が移動すると、加速度センサ部１５が当該移動に伴う加速度を検出し、制御部１１へ通知する。制御部１１は表示部１２を介してユーザに警告を行うとともに、無線通信部１７に対してデータの送信を中断させることとなる。
【００４４】
（無線通信装置１が移動した際の予防動作）
次に、本発明に係る無線通信システムにおける無線通信切断予防の方法について、フローチャートを参照しつつ説明する。
【００４５】
最初に、データ送信中に無線通信装置１が移動した場合において、一時的にデータの転送を中断させることにより、データ書込み中の通信切断によりファイルシステムが破壊されることを防止する場合の動作を説明する。
【００４６】
図３は、無線通信装置１が移動した際に一時的にデータ格納装置２へのデータ送信を中断する処理の流れを示すフローチャートである。
【００４７】
なお、以下に説明する動作は、特に記載のない限り、無線通信装置１に内蔵される制御部１１が行うものとする。
【００４８】
最初に、データ格納装置２等の外部端末との間で無線通信がなされる（ステップＳ１０１）。次に、加速度センサ部１５により無線通信装置１の移動が検出されたか否かの判断を行う（ステップＳ１０２）。加速度センサ部１５において無線通信装置１の移動が検出されない場合には（Ｓ１０２：Ｎｏ）、後述のステップＳ１０９へ処理を移す。
【００４９】
一方、加速度センサ部１５において無線通信装置１の移動が検出された場合には（Ｓ１０２：Ｙｅｓ）、無線通信切断のおそれがあるとして、データ格納装置２へデータ送信中であるか否かの判断を行う（ステップＳ１０３）。現時点においてデータ格納装置２へデータ送信していないと判断した場合には（Ｓ１０３：Ｎｏ）、ステップＳ１０６へ処理を移す。
【００５０】
なお、ここでいう「データ送信」において送信されるデータには、通信先端末に対するコマンドと、データ格納部１４及び２３に格納されるコンテンツデータ等の、双方を含むものであり、本明細書における「データ送信」全てにおいて該当するものである。
【００５１】
一方、現に無線通信部１７を介してデータ格納装置２へデータ送信中であると判断した場合には（Ｓ１０３：Ｙｅｓ）、表示部１２等を介してユーザへ対して警告を行い（ステップＳ１０４）、続いてデータ格納装置２へのデータ送信を強制終了し、データ送信を一時的に中断する（ステップＳ１０５）。
【００５２】
そして、データ格納装置２へのデータ送信が一時停止中となり（ステップＳ１０６）、再び加速度センサ部１５により無線通信装置１の移動が検出されたか否かの判断を行う（ステップＳ１０７）。加速度センサ部１５により無線通信装置１の移動が検出されたと判断した場合には（Ｓ１０７：Ｙｅｓ）、無線通信切断のおそれが存続しているものとして、上述のステップＳ１０６へ処理を戻す。
【００５３】
その一方、加速度センサ部１５により無線通信装置１の移動が一定時間検出されなかった場合には（Ｓ１０７：Ｎｏ）、無線通信切断のおそれはなくなったものとして、データ格納装置２へのデータ送信を再開する（ステップＳ１０８）。
尚このデータ送信停止中（Ｓ１０６）に、無線通信装置１とデータ格納装置２との間の無線通信接続が切断されている場合には、両者間の無線通信接続を再開した上でデータ送信を再開する（Ｓ１０８）。
【００５４】
続いて、データ格納装置２との間における無線通信が終了したか否かの判断を行う(ステップＳ１０９)。データ格納装置２との間における無線通信がまだ継続している場合には（Ｓ１０９：Ｎｏ）、上述のステップＳ１０１へ処理を戻し、データ格納装置２との間における無線通信が終了した場合には（Ｓ１０９：Ｙｅｓ）、移動検出処理を終了する。
【００５５】
以上のような処理を行うことにより、無線通信装置１の移動により無線通信が切断しそうな場合に、加速度センサ部１５が無線通信装置１の移動を検出し、ユーザへ告知するとともに、実際の無線通信の切断の有無にかかわらずデータ書込みを一時的に中断することができ、データ書込み中の通信切断に伴うファイルシステムの破壊等の弊害を防止することができる。
【００５６】
特に、信頼性の要求されるデータの送信中に無線通信が切断してしまった場合であっても、事前にデータ送信を中断することができるので、そのようなデータの保護を図ることができる。
【００５７】
なお、上記処理は無線通信装置１からデータ格納装置２へのデータ送信の場合の処理であるが、データ格納装置２から無線通信装置１へのデータ送信の場合であっても、同様の処理がなされる。
上述の例では、ユーザに警告を発した後、データ送信を必ず停止しているが、これに限らずユーザへの警告のみに止め、データ送信の停止は行わないようにしてもよい（以下のデータ格納装置２が移動した際の予防動作についても同様）。この場合データ送信の停止を行うか否かはユーザが選択することとなり、例えば多少の移動で特にデータ送信の停止を行う必要が無い場合等に柔軟に対処でき、また、データ送信に気づかずにユーザが無線通信装置１を移動させようとした場合に、この移動をやめる等の対応も取ることができる。
【００５８】
（データ格納装置２が移動した際の予防動作）
次に、データ受信時にデータ格納装置が移動した場合において、一時的にデータの送信を中断させることにより、データ書込み中の通信切断によりファイルシステムが破壊されることを防止する場合の動作について説明する。
【００５９】
図４は、データ格納装置２が移動した際に一時的にデータ格納装置２へのデータ送信を中断させる動作を示すフローチャートである。
【００６０】
なお、以下に説明する動作は、特に記載のない限り、無線通信装置１に関する動作は内蔵される制御部１１が、データ格納装置２に関する動作は内蔵されるデータ制御部２１が、それぞれ行うものとする。
【００６１】
最初に、無線通信装置１とデータ格納装置２との間で無線通信がなされる（ステップＳ１１１、ステップＳ２１１）。次に、加速度センサ部２４によりデータ格納装置２の移動が検出されたか否かの判断を行う（ステップＳ２１２）。加速度センサ部２４によりデータ格納装置２の移動が検出されなかったと判断した場合には（Ｓ２１２：Ｎｏ）、このままこの処理を終了させる。
【００６２】
一方、加速度センサ部２４においてデータ格納装置２の移動が検出されたと判断した場合には（Ｓ２１２：Ｙｅｓ）、無線通信切断のおそれがあるとして、無線通信装置１からデータ格納装置２へデータ送信中であるか否かの判断を行う（ステップＳ２１３）。現時点において無線通信装置１からのデータ送信を受けていないと判断した場合には（Ｓ２１３：Ｎｏ）、ステップＳ２１６へ処理を移す。
【００６３】
一方、無線通信部２６を介して無線通信装置１からデータ送信中であると判断した場合には（Ｓ２１３：Ｙｅｓ）、警告部２２を介してユーザへ対して警告を行い（ステップＳ２１４）、無線通信装置１に対して無線通信切断のおそれがある旨の通知の信号を送信させる（ステップＳ２１５）。
【００６４】
無線通信切断のおそれがある旨の通知の信号を受信した無線通信装置１においても、ユーザに対して表示部１２などによって警告を行い（ステップＳ１１２）、続いてデータ格納装置２へのデータ送信を強制終了し、データ送信を一時的に中断する（ステップＳ１１３）。
【００６５】
そして、無線通信装置１からデータ格納装置２へのデータ送信が一時停止中となり（ステップＳ１１４、ステップＳ２１６）、再び加速度センサ部２４によりデータ格納装置２の移動が検出されたか否かの判断を行う（ステップＳ２１７）。加速度センサ部２４によりデータ格納装置２の移動が検出されたと判断した場合には（Ｓ２１７：Ｙｅｓ）、無線通信切断のおそれが存続しているとして、上述のステップＳ２１６へ処理を戻す。
【００６６】
その一方、加速度センサ部２４によりデータ格納装置２の移動が一定時間検出されなかったと判断した場合には（Ｓ２１７：Ｎｏ）、無線通信切断のおそれが低減したものとして、無線通信装置１に対してデータ送信再開を通知し（ステップＳ２１８）、無線通信装置１からデータ格納装置２へのデータ送信を再開する（ステップＳ１１５、ステップＳ２１９）。そしてこの処理を終了させる。
尚無線通信装置１からデータ格納装置２へのデータ送信停止中に（Ｓ２１６）無線通信装置１とデータ格納装置２との間の無線通信接続が切断されている場合には、両者間の無線通信接続を再開した上でデータ送信再開をデータ格納装置２から無線通信装置１へ通知する（Ｓ２１８）。
【００６７】
以上のような処理を行うことにより、データ格納装置２の移動により無線通信が切断しそうな場合に、加速度センサ部２４がデータ格納装置２の移動を検出し、ユーザへ警告するとともに、実際の無線通信の切断の有無にかかわらずデータ書込みを一時的に中断することができるので、データ書込み中の通信切断に伴うファイルシステムの破壊等の弊害を防止することができる。
【００６８】
特に、信頼性の要求されるデータの転送中に無線通信が切断してしまった場合であっても、事前にデータ送信を中断することができるので、そのようなデータの保護を図ることができる。
【００６９】
なお、上記処理は無線通信装置１からデータ格納装置２へのデータ送信の場合の処理であるが、データ格納装置２から無線通信装置１へのデータ送信の場合であっても、同様の処理がなされる。
【００７０】
（通信品質に応じた警告機能の切替動作）
次に、通信品質に応じて、警告機能の作動の有無を切替える動作について説明する。
【００７１】
上述のように、通信中の各端末の移動に伴い、ユーザへ警告を発すると共に、書込みを中断することで、ファイルシステムの破壊を事前に防止することができる。しかし状況によってはユーザは装置を少し動かすだけでその度に警告を受けることとなり煩わしいと感じることがある。
【００７２】
そこで、多少の動作で通信が切断される可能性の低い場合には、警告機能を動作させないことも可能である。このとき、通信切断の可能性の大小は、通信品質の優劣を基準に判断する。
【００７３】
図５は、無線通信装置１において、無線通信品質の優劣に応じて、ユーザへの通信切断可能性の通知（警告）の有無を切替える場合の動作例を示すフローチャートである。
【００７４】
最初に、データ格納装置２等の外部端末との間で無線通信がなされる（ステップＳ１２１）。次に、通信品質検出部１６により通信品質情報を取得させる（ステップＳ１２２）。通信品質検出部１６は、無線通信部１７より通信信号を取得し、その通信のリンククオリティに係る情報を取得する。
【００７５】
次に、上記取得されたリンククオリティ情報を元に、通信の切断危険性のレベルを判定し（ステップＳ１２３）、無線品質が一定の値以上であるか否かの判断を行う（ステップＳ１２４）。
【００７６】
無線品質が一定の値以上であると判断した場合には（Ｓ１２４：Ｙｅｓ）、通信の切断危険性レベルが低いものと判断し（ステップＳ１２５）、通信切断危険性についての警告機能をオフに設定する（ステップＳ１２６）。
【００７７】
一方、無線品質が一定の値未満であると判断した場合には（Ｓ１２４：Ｎｏ）、通信の切断危険性レベルが高いものと判断し（ステップＳ１２７）、通信切断危険性についての警告機能をオンに設定する（ステップＳ１２８）。
【００７８】
次に、加速度センサ部１５により無線通信装置１の移動が検出されたか否かの判断を行う（ステップＳ１２９）。加速度センサ部１５により無線通信装置１の移動が検出されなかったと判断した場合には（Ｓ１２９：Ｎｏ）、このままこの処理を終了させる。
【００７９】
一方、加速度センサ部１５において無線通信装置１の移動が検出されたと判断した場合には（Ｓ１２９：Ｙｅｓ）、無線通信切断のおそれがあるとして、警告機能がオンであるか否かの判断を行う（ステップＳ１３０）。警告機能がオフであると判断した場合には（Ｓ１３０：Ｎｏ）、このまま処理を終了させるが、警告機能がオンであると判断した場合には（ｓ１３０：Ｙｅｓ）、表示部１２等を介してユーザへ対して通信の切断可能性のあることを通知する（ステップＳ１３１）。そしてこの処理を終了させる。
【００８０】
以上のような処理を行うことにより、無線通信の品質が高い場合には、警告機能を動作させないことができるので、通信切断の可能性が低いにもかかわらず、僅かな装置の移動で警告を発せられる煩わしさを解消することができる。
【００８１】
（通信出力の調整による通信切断の回避動作）
次に、無線通信が切断されそうな際には、通信出力を一時的に増大させることにより、通信の切断を回避させる動作について説明する。
【００８２】
図６は、無線通信装置１が移動された際に一時的に送信出力を増大させて通信の継続を図る際の動作を示すフローチャートである。
【００８３】
最初に、データ格納装置２等の外部端末との間で無線通信がなされる（ステップＳ１４１）。次に、加速度センサ部１５により無線通信装置１の動きが検出されたか否かの判断を行う（ステップＳ１４２）。
【００８４】
加速度センサ部１５により無線通信装置１の移動が検出されたと判断した場合には（Ｓ１４２：Ｙｅｓ）、無線通信切断のおそれがあるとして、送信電力を増大することができるか否かの判断を行う（ステップＳ１４３）。
【００８５】
現時点における送信電力が最大送信電力よりも小さく、送信電力を増大することが可能であると判断した場合には（Ｓ１４３：Ｙｅｓ）、設定変更により送信電力を一時的に増大させる（ステップＳ１４４）。
【００８６】
一方、加速度センサ部１５において無線通信装置１の移動が検出されなかったと判断した場合と（Ｓ１４２：Ｎｏ）、既に現時点における送信電力が最大送信電力であって送信電力の増大が困難であると判断した場合には（Ｓ１４３：Ｎｏ）、いずれの場合も通常の送信電力を維持する（ステップＳ１４５）。そしてこの処理を終了させる。
【００８７】
以上のような処理を行うことにより、無線通信装置１の移動に伴い、通信切断のおそれが生じた際には、通信出力を一時的に増大させることができるので、通信の切断を生じ難くすることができる。
【００８８】
なお、上記した実施の形態において、無線通信装置１の移動に伴う加速度を検出するものとして加速度センサ部を用いた構成を説明したが、この加速度センサは、例えば、ＨＤＤにおいて磁気ヘッドと磁気ディスクが衝撃によって接触することを防ぐために異常な動きを検出して磁気ヘッドを退避させる目的で設けられるものを用いても良い。また、ＨＤＤ搭載の加速度センサに限定されず、回路基板等に搭載された加速度センサであっても良い。
【図面の簡単な説明】
【００８９】
【図１】本発明に係る無線通信システムの構成を示す概略図である。
【図２】本発明に係る無線通信システムを構成する無線通信装置及びデータ格納装置の構成を示すブロック図である。
【図３】無線通信装置が移動した際に一時的にデータ格納装置へのデータ送信を中断させる動作を示すフローチャートである。
【図４】データ格納装置が移動した際に一時的にデータ格納装置へのデータ送信を中断させる動作を示すフローチャートである。
【図５】無線通信装置において、無線通信品質の優劣に応じて、ユーザに対する通信切断可能性の通知の有無を切替える場合の動作例を示すフローチャートである。
【図６】無線通信装置が移動した際に一時的に送信出力を増大させて通信の継続を図る際の動作を示すフローチャートである。
【符号の説明】
【００９０】
１、無線通信装置  ２、データ格納装置  １１、制御部  １２、表示部  １３、入力部
１４、２３、データ格納部  １５、２４、加速度センサ部  １６、２５、通信品質検出部
１７、２６、無線通信部  １８、２７、アンテナ
【図１】
0004690873.tif 000002
【図２】
0004690873.tif 000003
【図３】
0004690873.tif 000004
【図４】
0004690873.tif 000005
【図５】
0004690873.tif 000006
【図６】
0004690873.tif 000007